(57)【要約】【課題】窓枠の熱橋を抑制してより断熱性能の高い乾式の外張断熱構造を提案する。【解決手段】建物の躯体１１の室外側に配置された構造用面材１２と、該構造用面材１２の室外側に配置された断熱材１３と、該断熱材１３の室外側に配置された外装材１４とを備え、前記外装材１４の開口部１４ａに窓枠１７が設けられた外張断熱構造１であって、断熱材１３が窓枠１７の室外側の見付け面の少なくとも一部を覆っていることを特徴とする。【選択図】図２
2020197011.tif 000002
【特許請求の範囲】
【請求項１】
建物の躯体の室外側に配置された構造用面材と、該構造用面材の室外側に配置された断熱材と、該断熱材の室外側に配置された外装材とを備え、前記外装材の開口部に窓枠が設けられた外張断熱構造であって、
前記断熱材が前記窓枠の室外側の見付け面の少なくとも一部を覆っていることを特徴とする外張断熱構造。
【請求項２】
前記構造用面材の室外側の表面と前記窓枠の室外側の見付け面とが略面一に配置されている、請求項１に記載の外張断熱構造。
【請求項３】
前記窓枠に最隣接するとともに前記断熱材の見込み面を覆う前記外装材が、室外側から前記躯体または前記断熱材の室外側に配置される胴縁に固定可能な形状を有する、請求項１または２に記載の外張断熱構造。
【請求項４】
前記外装材は軽量気泡コンクリートで構成されている、請求項１〜３のいずれか一項に記載の外張断熱構造。
【請求項５】
前記構造用面材と前記断熱材との間に透湿防水シートが配置されている、請求項１〜４のいずれか一項に記載の外張断熱構造。
【請求項６】
前記断熱材の見込み面に透湿防水シートが配置されている、請求項１〜５のいずれか一項に記載の外張断熱構造。
【請求項７】
前記窓枠の室外側の見付け面と前記構造用面材の室外側の表面とを跨いで防水テープが貼り付けされている、請求項１〜６のいずれか一項に記載の外張断熱構造。
【請求項８】
前記窓枠の室外側の見付け面と前記断熱材の見込み面とを跨いで防水テープが貼り付けされている、請求項１〜７のいずれか一項に記載の外張断熱構造。
【発明の詳細な説明】
【技術分野】
【０００１】
本発明は、外張断熱構造に関する。
【背景技術】
【０００２】
昨今の住宅市場において、“省エネルギー化”が１つのトレンドなっており、ZEH（Zero Energy House）やHEMS（Home Energy Management System）などの利用が拡大している。住宅の省エネルギー性能を向上させるためには、建物内部の熱を逃げにくくし、暖冷房に使用するエネルギーを低減することが効果的である。
【０００３】
鉄骨造や木造などの建物の外壁の断熱方法としては、従来、充填断熱工法および外張断熱工法が用いられている（例えば、特許文献１参照）。充填断熱工法は、建物の躯体の間や室内側に断熱材を配置するものであり、グラスウールなどの断熱材を躯体間に充填することが多い。この充填断熱工法は、断熱材の価格が安いため、断熱材のコストは低減できるものの、建物の躯体が熱橋となり、断熱性能があまり高くない問題がある。
【０００４】
一方、外張断熱工法は、構造躯体の室外側に断熱材を配置するものであり、発泡プラスチックなどのプラスチック系の断熱板材が躯体の室外側に張られる。外張断熱工法では、建物全体が断熱材で覆われるため、熱橋がなく、断熱性能が高い。そのため、近年では、より断熱性能が高い外張断熱工法も用いられるようになっている。
【０００５】
外張断熱工法としては、外壁表面をパネルや窯業系サイディングなどの外装材を用いて仕上げる乾式工法と、断熱材の室外側にモルタルや塗料などの湿式外装材を施工する湿式外断熱工法とが存在する。図１は、従来の乾式の外張断熱構造の一例の平面図を示している。図１に示した外張断熱構造１００は、建物の躯体１１１の室外側に配置された構造用面材１１２と、該構造用面材１１２の室外側に配置された断熱材１１３と、該断熱材１１３の室外側に配置された外装材１１４とを備える。
【０００６】
外装材１１４と断熱材１１３との間には、木材などで構成された胴縁１１５が配置されており、外装材１１４と断熱材１１３との間に通気層１１６が設けられている。また、外装材１１４の開口部１１４ａには、上枠と下枠と縦枠１１８とからなり、アルミニウムなどで構成された窓枠１１７が取り付けられている。そして、この窓枠１１７には、ガラス板１２０が嵌め込まれた框体１１９が障子として取り付けられている。
【０００７】
外装材１１４と窓枠１１７との間の隙間には、ウレタン系などのシーリング材１２１が充填されており、シーリング材１２１による三面接着を防止するためのバックアップ材１２２が内装されている。
【先行技術文献】
【特許文献】
【０００８】
【特許文献１】特開２００３−１６６３７９号公報
【発明の概要】
【発明が解決しようとする課題】
【０００９】
ところで、建物から逃げる熱を部位別に検討すると、窓から逃げる熱が最も多い場合が多い。これは、アルミニウムなどで構成された窓枠１１７が熱橋となるためである。そのため、建物の断熱性能を向上させるためには、外装材１１４の開口部１１４ａに取り付けられた窓枠１１７周辺の熱橋を抑制する必要がある。
【００１０】
そこで、本発明の目的は、窓枠の熱橋を抑制してより高い断熱性能を有する乾式の外張断熱構造を提案することにある。
【課題を解決するための手段】
【００１１】
上記課題を解決する本発明は、以下の通りである。
［１］建物の躯体の室外側に配置された構造用面材と、該構造用面材の室外側に配置された断熱材と、該断熱材の室外側に配置された外装材とを備え、前記外装材の開口部に窓枠が設けられた外張断熱構造であって、
前記断熱材が前記窓枠の室外側の見付け面の少なくとも一部を覆っていることを特徴とする外張断熱構造。
【００１２】
［２］前記構造用面材の室外側の表面と前記窓枠の室外側の見付け面とが略面一に配置されている、前記［１］に記載の外張断熱構造。
【００１３】
［３］前記窓枠に最隣接するとともに前記断熱材の見込み面を覆う前記外装材が、室外側から前記躯体または前記断熱材の室外側に配置される胴縁に固定可能な形状を有する、前記［１］または［２］に記載の外張断熱構造。
【００１４】
［４］前記外装材は軽量気泡コンクリートで構成されている、前記［１］〜［３］のいずれか一項に記載の外張断熱構造。
【００１５】
［５］前記構造用面材と前記断熱材との間に透湿防水シートが配置されている、前記［１］〜［４］のいずれか一項に記載の外張断熱構造。
【００１６】
［６］前記断熱材の見込み面に透湿防水シートが配置されている、前記［１］〜［５］のいずれか一項に記載の外張断熱構造。
【００１７】
［７］前記窓枠の室外側の見付け面と前記構造用面材の室外側の表面とを跨いで防水テープが貼り付けされている、前記［１］〜［６］のいずれか一項に記載の外張断熱構造。
【００１８】
［８］前記窓枠の室外側の見付け面と前記断熱材の見込み面とを跨いで防水テープが貼り付けされている、前記［１］〜［７］のいずれか一項に記載の外張断熱構造。
【発明の効果】
【００１９】
本発明によれば、窓枠の熱橋を抑制してより高い断熱性能を有する乾式の外張断熱構造を実現することができる。
【図面の簡単な説明】
【００２０】
【図１】従来の乾式の外張断熱構造の一例の平面図である。
【図２】本発明による外張断熱構造の好適な例の平面図である。
【発明を実施するための形態】
【００２１】
以下、図面を参照して、本発明の実施形態について説明する。図２は、本発明による外張断熱構造の好適な例の平面図を示している。図２に示した外張断熱構造１は、建物の躯体１１の室外側に配置された構造用面材１２と、該構造用面材１２の室外側に配置された断熱材１３と、該断熱材１３の室外側に配置された外装材１４とを備える。
【００２２】
外装材１４と断熱材１３との間には、木材などで構成された胴縁１５が配置され、ビスＢを用いて、外装材１４が胴縁１５を介して躯体１１（柱または間柱）に固定されており、外装材１４と断熱材１３との間に通気層１６が設けられている。また、外装材１４の開口部１４ａには、上枠と下枠と縦枠１８とからなる窓枠１７が取り付けられている。そして、この窓枠１７には、ガラス板２０が嵌め込まれた框体１９が内開きの障子として取り付けられている。
【００２３】
また、外装材１４と窓枠１７との間、および２つの外装材１４の間の隙間にはシーリング材２１が充填されており、シーリング材２１による三面接着を防止するためのバックアップ材２２が内装されている。
【００２４】
本発明による外張断熱構造１において、構造用面材１２の室外側に配置された断熱材１３は、縦枠１８（窓枠１７）の室外側の見付け面１８ａの少なくとも一部を覆うように配置されていることが肝要である。これにより、窓枠１７の熱橋を低減して外張断熱構造１の断熱性能を向上させることができる。
【００２５】
このように、本発明による外張断熱構造１は、断熱材１３が窓枠１７の室外側の見付け面１８ａの少なくとも一部を覆うように構成されている点に特徴を有するものであり、その他の構成については特に限定されず、適切に設定することができる。以下、各構成について説明する。
【００２６】
−構造用面材−
構造用面材１２としては、構造用合板や構造用パネル、パーティクルボード、シージングボードなどの木質系ボード、硬質木片セメント板、パルプセメント板、フレキシブル板、ケイ酸カルシウム板、火山性ガラス質複層板、石膏ボードなどを用いることができる。構造用面材１２の厚みは、材質に応じて適切に設定することができるが、９ｍｍ〜２５ｍｍ程度である。
【００２７】
構造用面材１２の室外側の表面１２ａと縦枠１８（窓枠１７）の室外側の見付け面１８ａとが略面一に配置されていることが好ましい。すなわち、構造用面材１２の室外側の表面１２ａと縦枠１８（窓枠１７）の室外側の見付け面１８ａとの間に段差があってもよいが、この場合、断熱材１３の端面近傍の部分または窓枠１７（縦枠１８）の断熱材側の部分を、上記段差を相殺するように加工する必要がある。この点、構造用面材１２の室外側の表面１２ａと縦枠１８（窓枠１７）の室外側の見付け面１８ａとが略面一に配置されていれば、上述のような加工を行うことなく、断熱材１３をそのまま使用することができる。
【００２８】
なお、後述するように、構造用面材１２と断熱材１３との間に透湿防水シート２３を配置する場合や、縦枠１８（窓枠１７）の室外側の見付け面１８ａと構造用面材１２の室外側の表面１２ａとを跨いで防水テープ２４を貼り付けする場合（図２参照）、これら透湿防水シート２３や防水テープ２４は極めて薄い。従って、構造用面材１２の室外側の表面１２ａと縦枠１８（窓枠１７）の室外側の見付け面１８ａとが略面一に配置されていれば、構造用面材１２の室外側の表面１２ａと縦枠１８（窓枠１７）の室外側の見付け面１８ａとの間の段差は小さい。そのため、上述のような加工を行う必要は必ずしもないが、透湿防水シート２３の室外側の表面と縦枠１８（窓枠１７）の室外側の見付け面１８ａとが略面一に配置されていることがより好ましい。
【００２９】
−断熱材−
断熱材１３は、フェノール樹脂フォーム（ＰＦ）、ビーズ発泡ポリスチレン（ＥＰＳ）、押出発泡ポリスチレン（ＸＰＳ）、ロックウール（ＲＷ）などの既知の材料で構成することができる。中でも、断熱性に優れる点から、断熱材１３の材料としては、フェノール樹脂フォームを用いることが好ましい。
【００３０】
断熱材１３としては、例えば、工場などで樹脂を発泡させて成型された断熱パネルを用いることができる。あるいは、建設現場などで断熱材料を吹付けて形成されたものを用いることもできる。発泡体のみからなる断熱パネルでも、発泡体の少なくとも一方の表面に面材が積層一体化されてなる断熱パネルでもよい。断熱材１３として、フェノール樹脂フォームなどを用いる場合の面材としては、不織布、織布、紙類、金属箔などの既知の面材を用いることができる。
【００３１】
上記断熱材１３の厚みは、５ｍｍ〜１００ｍｍ程度であり、断熱材１３の厚みを５ｍｍ以上とすることにより、十分な断熱性能を得ることができる。また、断熱材１３の厚みを１００ｍｍ以下とすることにより、外装材１４の厚みを不必要に大きくすることなく、高い断熱性能を得ることができる。
【００３２】
−外装材−
外装材１４は、軽量気泡コンクリート（ＡＬＣ）やプレキャストコンクリート（ＰＣａ）、押出成形セメント板などで構成することができる。このうち、ＡＬＣは熱伝導率が低いため、他の外装材の材料よりも断熱効果が高い。そのため、外装材１４をＡＬＣで構成することにより、外装材１４を追加の断熱材として使用することができ、好ましい。
【００３３】
外装材１４と窓枠１７との間の隙間や、外装材１４同士の目地部の隙間に充填するシーリング材２１としては、ウレタン系やエポキシ系、変性シリコン系のものを用いることができる。また、バックアップ材２２としては、弾性変形が可能な材料で構成することができる。
【００３４】
また、図２に示すように、窓枠１７に最隣接する外装材１４ｂとしては、断熱材１３の見込み面（端面）１３ａを覆うとともに、室外側から躯体１１または断熱材１３の室外側に配置される胴縁１５に固定可能な形状を有することが好ましい。すなわち、開口部１４ａ付近に外装材１４を配置する際に、外装材１４を、断熱材１３の室外側の表面と見込み面１３ａとに別々に配置することが考えられる。この場合、外装材１４と断熱材１３の端面との間に外装材１４を固定するための台座が必要となる。
【００３５】
この点、断熱材１３の見込み面１３ａを覆うとともに室外側から躯体１１または断熱材１３の室外側に配置される胴縁１５に固定可能な形状を有するものを用いることにより、断熱材１３の見込み面１３ａ側に固定用の台座が必要なくなる。その結果、断熱材１３をより開口部１４ａ側に配置して、窓枠１７の熱橋をより低減することができ、外張断熱構造１の断熱性能をより向上させることができる。
【００３６】
こうした外装材１４ｂとしては、図２に示すような断面形状が略Ｌ字型のものや、アーチ型のものを用いることができる。アーチ型の外装材１４ｂとしては、外側（室外側）表面及び内側（室内側）表面の少なくとも一方がアーチ型のものを用いることができる。中でも、外装材１４ｂとしては、その断面形状が略Ｌ字型のものを用いることが好ましい。
【００３７】
また、窓枠１７のうちの上枠に最隣接する外装材１４ｂとして、図２に示した略Ｌ字型の断面形状のもののような、断熱材１３の見込み面１３ａを覆うとともに見込み方向のみから固定可能な形状を有するものを使用する場合、上方から浸入した水が外装材１４ｂの水平面に溜まるのを抑制するために、水を排出するための水抜き穴を設けることが好ましい。
【００３８】
−透湿防水シート−
図２に示すように、構造用面材１２と断熱材１３との間に透湿防水シート２３が配置されていることが好ましい。この透湿防水シート２３としては、ＪＩＳ―Ａ―６１１１に規定されたものを用いることができる。これにより、シーリング材２１によるシールが破壊されて水分が浸入した場合に、構造用面材１２に水分が浸入するのを抑制することができる。
【００３９】
−防水テープ−
上述のように構造用面材１２と断熱材１３との間に透湿防水シート２３が配置されている場合、縦枠１８（窓枠１７）の室外側の見付け面１８ａと構造用面材１２の室外側の表面１２ａとを跨いで、防水テープ２４が貼り付けされていることが好ましい。これにより、シーリング材２１によるシールが破壊されて水分が浸入した場合に、水分が室内側に浸入するのをより抑制することができる。
【００４０】
防水テープ２４としては、ブチルテープやアクリルテープなど、合成樹脂系のテープなどを用いることができる。その少なくとも一方の表面に接着性を有するように構成することができる。なお、防水テープ２４は、片面または両面に接着性を有することができるが、両面に接着性を有することが好ましい。
【００４１】
防水テープ２４は、ブチル系やゴム系などの適切な接着性材料を縦枠１８（窓枠１７）の室外側の見付け面１８ａと構造用面材１２の室外側の表面１２ａとを跨いで塗布し、乾燥させたものを用いてもよい。
【００４２】
また、図２に示すように、断熱材１３の見込み面（端面）１３ａに、上述した透湿防水シート２３と同様の透湿防水シート２５が配置されていることが好ましい。これにより、シーリング材２１によるシールが破壊されて水分が浸入した場合に、水分が断熱材１３に浸透して断熱性能が低下するのを抑制することができる。
【００４３】
上述のように断熱材１３の見込み面（端面）１３ａに透湿防水シート２５が配置されている場合、縦枠１８（窓枠１７）の室外側の見付け面１８ａと断熱材１３の見込み面（端面）１３ａとを跨いで、上述した防水テープ２４と同様の防水テープ２６を貼り付けされていることが好ましい。これにより、シーリング材２１によるシールが破壊されて水分が浸入した場合に、水分が断熱材１３に浸透して断熱性能が低下するのをより抑制することができる。
【００４４】
上述のように構成される外装材１４の開口部１４ａに設けられる窓構造は、特に限定されず、半外付け外開きのものや、図２に示したような内付け内開きのものなど、適切なものを使用することができる。中でも、内付け窓とすることにより、熱の出入りを抑制して断熱性能をより高めることができる。
【００４５】
また、本発明による外張断熱構造１において、図２に示すように、開口部１４ａに取り付けられる窓枠１７の下枠付近に水切り２７を設けることが好ましい。これにより、雨仕舞処理を良好に行うことができる。また、水切り２７の端部は、外装材１４ｂの見込み面よりも柱側に位置することが好ましい。これにより、雨仕舞処理をより良好に行うことができる。
【産業上の利用可能性】
【００４６】
本発明によれば、窓枠の熱橋を抑制してより高い断熱性能を有する乾式の外張断熱構造を実現することができる。
【符号の説明】
【００４７】
１，１００  外張断熱構造
１１，１１１  躯体
１２，１１２  構造用面材
１３，１１３  断熱材
１３ａ  見込み面
１４，１１４  外装材
１４ａ  開口部
１４ｂ  外装材
１５，１１５  胴縁
１６，１１６  通気層
１７，１１７  窓枠
１８，１１８  縦枠
１８ａ  見付け面
１９，１１９  框体
２０，１２０  ガラス板
２１，１２１  シール材
２２，１２２  バックアップ材
２３，２５  透湿防水シート
２４，２６  防水テープ
２７  水切り
Ｂ  ビス
【図１】
2020197011.tif 000003
【図２】
2020197011.tif 000004